(57)【特許請求の範囲】
【請求項１】
受像機に表示される放送情報の映像と付加情報の映像の位置関係を設定する設定部と、
ＮＴＳＣ方式の放送情報の映像信号をアップコンバートしたＨＤＴＶ方式の第１映像信号が入力され、前記設定部による設定に従い、水平走査期間内の第１映像信号の存在する位置を調整してＨＤＴＶ方式の第１信号を出力する第１位置調整部と、
ＨＤＴＶ方式の付加情報の第２映像信号が入力され、前記設定部による設定に従い、水平走査期間内の第２映像信号を埋め込む位置を調整してＨＤＴＶ方式の第２信号を出力する第２位置調整部と、
前記第１位置調整部から、水平同期信号と、水平走査期間内の一部期間に埋め込まれた第１映像信号とを含む第１信号が入力され、第１信号の水平同期信号を抽出する同期分離回路と、
前記第２位置調整部から、水平同期信号と、水平走査期間内の他の一部期間に埋め込まれた第２映像信号を含む第２信号が入力され、前記同期分離回路により抽出された第１信号の水平同期信号と第２信号とを同期させて第２映像信号を出力するための時間制御回路と、
前記第１位置調整部からの第１信号及び前記時間制御回路からの第２映像信号を含む信号が供給され、一部期間に第１映像信号を含む第１信号に対応する水平走査期間内において、その他の一部期間に第２映像信号を挿入して、ＨＤＴＶ放送用の合成映像信号を作成する合成映像信号作成回路と
を備えた映像処理装置。
【請求項２】
第１位置調整部の前段に、ＮＴＳＣ方式の映像信号をＨＤＴＶ方式の映像信号に変換するアップコンバータをさらに備えた請求項１に記載の映像処理装置。
【請求項３】
ＮＴＳＣ方式の放送情報の映像信号が入力され、ＮＴＳＣ方式の該映像信号をＨＤＴＶ方式の第１映像信号に変換して、予め設定された水平走査期間内の一部期間に第１映像信号が存在する第１信号を出力するアップコンバータと、
ＨＤＴＶ方式の第２映像信号が入力され、前記アップコンバータにより定められた水平走査期間内の一部期間以外の他の一部期間に、第２映像信号を埋め込む位置を調整して第２信号を出力する第２位置調整部と、
前記アップコンバータから、水平同期信号と、水平走査期間内の一部期間に埋め込まれた第１映像信号とを含む第１信号が入力され、第１信号の水平同期信号を抽出する同期分離回路と、
前記第２位置調整部から、水平同期信号と、水平走査期間内の他の一部期間に埋め込まれた第２映像信号を含む第２信号が入力され、前記同期分離回路により抽出された第１信号の水平同期信号と第２信号とを同期させて第２映像信号を出力するための時間制御回路と、
前記アップコンバータからの第１信号及び前記時間制御回路からの第２映像信号を含む信号が供給され、一部期間に第１映像信号を含む第１信号に対応する水平走査期間内において、その他の一部期間に第２映像信号を挿入して、ＨＤＴＶ放送用の合成映像信号を作成する合成映像信号作成回路と
を備えた映像処理装置。
【請求項４】
第１信号はコマーシャル映像であることを特徴とする請求項１乃至３のいずれかに記載の映像処理装置。
【請求項５】
受像機に表示される放送情報の映像と付加情報の映像の位置関係を設定する設定手順と、
ＮＴＳＣ方式の放送情報の映像信号をアップコンバートしたＨＤＴＶ方式の第１映像信号が入力され、前記設定手順による設定に従い、水平走査期間内の第１映像信号の存在する位置を調整してＨＤＴＶ方式の第１信号を出力する第１位置調整手順と、
ＨＤＴＶ方式の付加情報の第２映像信号が入力され、前記設定手順による設定に従い、水平走査期間内の第２映像信号を埋め込む位置を調整してＨＤＴＶ方式の第２信号を出力する第２位置調整手順と、
前記第１位置調整手順により出力された、水平同期信号と、水平走査期間内の一部期間に埋め込まれた第１映像信号とを含む第１信号が入力され、第１信号の水平同期信号を抽出する同期分離手順と、
前記第２位置調整手順により出力された、水平同期信号と、水平走査期間内の他の一部期間に埋め込まれた第２映像信号を含む第２信号が入力され、前記同期分離手順により抽出された第１信号の水平同期信号と第２信号とを同期させて第２映像信号を出力するための時間制御手順と、
前記第１位置調整手順により出力された第１信号及び前記時間制御手順により出力された第２映像信号を含む信号が供給され、一部期間に第１映像信号を含む第１信号に対応する水平走査期間内において、その他の一部期間に第２映像信号を挿入して、ＨＤＴＶ放送用の合成映像信号を作成する合成映像信号作成手順と
を備えた映像処理方法。
【請求項６】
ＮＴＳＣ方式の放送情報の映像信号が入力され、ＮＴＳＣ方式の該映像信号をＨＤＴＶ方式の第１映像信号に変換して、予め設定された水平走査期間内の一部期間に第１映像信号が存在する第１信号を出力するアップコンバート手順と、
ＨＤＴＶ方式の第２映像信号が入力され、前記アップコンバート手順により定められた水平走査期間内の一部期間以外の他の一部期間に、第２映像信号を埋め込む位置を調整して第２信号を出力する第２位置調整手順と、
前記アップコンバート手順により出力された、水平同期信号と、水平走査期間内の一部期間に埋め込まれた第１映像信号とを含む第１信号が入力され、第１信号の水平同期信号を抽出する同期分離手順と、
前記第２位置調整手順により出力された、水平同期信号と、水平走査期間内の他の一部期間に埋め込まれた第２映像信号を含む第２信号が入力され、前記同期分離手順により抽出された第１信号の水平同期信号と第２信号とを同期させて第２映像信号を出力するための時間制御手順と、
前記アップコンバート手順により出力された第１信号及び前記時間制御手順により出力された第２映像信号を含む信号が供給され、一部期間に第１映像信号を含む第１信号に対応する水平走査期間内において、その他の一部期間に第２映像信号を挿入して、ＨＤＴＶ放送用の合成映像信号を作成する合成映像信号作成手順と
を備えた映像処理方法。
【請求項７】
受像機に表示される放送情報の映像と付加情報の映像の位置関係を設定する設定手順と、
ＮＴＳＣ方式の放送情報の映像信号をアップコンバートしたＨＤＴＶ方式の第１映像信号が入力され、前記設定手順による設定に従い、水平走査期間内の第１映像信号の存在する位置を調整してＨＤＴＶ方式の第１信号を出力する第１位置調整手順と、
ＨＤＴＶ方式の付加情報の第２映像信号が入力され、前記設定手順による設定に従い、水平走査期間内の第２映像信号を埋め込む位置を調整してＨＤＴＶ方式の第２信号を出力する第２位置調整手順と、
前記第１位置調整手順により出力された、水平同期信号と、水平走査期間内の一部期間に埋め込まれた第１映像信号とを含む第１信号が入力され、第１信号の水平同期信号を抽出する同期分離手順と、
前記第２位置調整手順により出力された、水平同期信号と、水平走査期間内の他の一部期間に埋め込まれた第２映像信号を含む第２信号が入力され、前記同期分離手順により抽出された第１信号の水平同期信号と第２信号とを同期させて第２映像信号を出力するための時間制御手順と、
前記第１位置調整手順により出力された第１信号及び前記時間制御手順により出力された第２映像信号を含む信号が供給され、一部期間に第１映像信号を含む第１信号に対応する水平走査期間内において、その他の一部期間に第２映像信号を挿入して、ＨＤＴＶ放送用の合成映像信号を作成する合成映像信号作成手順と
をコンピュータに実行させるための映像処理プログラム。
【請求項８】
ＮＴＳＣ方式の放送情報の映像信号が入力され、ＮＴＳＣ方式の該映像信号をＨＤＴＶ方式の第１映像信号に変換して、予め設定された水平走査期間内の一部期間に第１映像信号が存在する第１信号を出力するアップコンバート手順と、
ＨＤＴＶ方式の第２映像信号が入力され、前記アップコンバート手順により定められた水平走査期間内の一部期間以外の他の一部期間に、第２映像信号を埋め込む位置を調整して第２信号を出力する第２位置調整手順と、
前記アップコンバート手順により出力された、水平同期信号と、水平走査期間内の一部期間に埋め込まれた第１映像信号とを含む第１信号が入力され、第１信号の水平同期信号を抽出する同期分離手順と、
前記第２位置調整手順により出力された、水平同期信号と、水平走査期間内の他の一部期間に埋め込まれた第２映像信号を含む第２信号が入力され、前記同期分離手順により抽出された第１信号の水平同期信号と第２信号とを同期させて第２映像信号を出力するための時間制御手順と、
前記アップコンバート手順により出力された第１信号及び前記時間制御手順により出力された第２映像信号を含む信号が供給され、一部期間に第１映像信号を含む第１信号に対応する水平走査期間内において、その他の一部期間に第２映像信号を挿入して、ＨＤＴＶ放送用の合成映像信号を作成する合成映像信号作成手順と
をコンピュータに実行させるための映像処理プログラム。
【発明の詳細な説明】
【０００１】
【発明の属する技術分野】
本発明は、映像処理装置、映像処理方法及び映像処理プログラムに係り、特に、ＨＤＴＶ（高品位テレビ）放送においてコマーシャル等の全画面を使用しない映像に、使用していない画面部分に他の映像情報を合成することにより画面を有効に活用するための映像処理装置、映像処理方法及び映像処理プログラムに関する。
【０００２】
【従来の技術】
一般に、テレビジョン放送は、▲１▼ＮＴＳＣ方式（日本が採用）、▲２▼ＰＡＬ方式、▲３▼ＳＥＣＡＭ方式、等のカラーテレビの方式が有る。このようなテレビ方式では、縦横のアスペクト比は、４：３の映像で放送されている。また、日本のＥＤＴＶーＩＩ方式等の場合は、アスペクト比は、１６：９である。
図７（Ａ）、（Ｂ）は、それぞれ現在テレビジョン放送（ＮＴＳＣ方式）での垂直同期信号波形と水平同期信号及び映像信号波形を示す。また、図８（Ａ）、（Ｂ）は、それぞれデジタルＨＤＴＶ放送（１０８０ｉ方式）での垂直同期信号波形と水平同期信号及び映像信号波形を示す。なお、図中「Ｈ」は水平走査期間である。
【０００３】
【発明が解決しようとする課題】
一般に、ＨＤＴＶのコマーシャル（ＣＭ）は、制作費も高い。そのため、アップコンバータにより、従来の放送用ＣＭを走査線５２５本又は６２５本よりＨＤＴＶ用の走査線１１２５本に変換し、また、信号周波数、バースト等を適宜変換して、ＨＤＴＶ放送用ＣＭ素材として制作し、放送されている。この場合、視聴者から見た映像はＨＤＴＶ用ではあるが、画角が４：３の映像として見える。
【０００４】
図９に、アップコンバータによる編集についての説明図を示す。図９（Ａ）のように、ＮＴＳＣ方式の普通ＴＶ画面はアスぺクト比４：３の画面である。このうち同期信号エリア（黒部分）を除いたものが有効画面であり普通のＴＶ画面である。ＮＴＳＣ方式では１フレームの走査線は５２５本である（４８０ｉ）。なお、「ｉ」は飛越走査を示す。一方、図９（Ｂ）に示すように、ＨＤＴＶ方式では、アスペクト比１６：９の画面であり、１フレームの走査線は１１２５本である（１０８０ｉ）。ＮＴＳＣ方式がＨＤＴＶ方式にアップコンバータで変換されると、画角が４：３の映像としてＨＤＴＶ画面に表示される。
【０００５】
図１０に、各信号方式とテレビ画面の関係についての説明図を示す。
図１０（Ａ）では、一例として、ＮＴＳＣ方式によりアスペクト比４：３で製作されたＴＶ−ＣＭをアップコンバータ（映像信号の走査線及び映像信号の周波数等を変換する装置）でＨＤＴＶ放送用ＴＶ−ＣＭを作成する場合を説明する。
【０００６】
図示のように、ＨＤＴＶ受像機では、アスペクト比１６：９の画面で放送される。
図１０（Ｂ）は、このようなＨＤＴＶ放送を従来型ＮＴＳＣ受像機で見たときのＴＶーＣＭ映像であり、図示のように周囲に黒画面部分が表示される。また、図１０（Ｃ）は、ＨＤＴＶ用ＴＶ−ＣＭ放送をアスペクト比１６：９の画角で見た時を示す。さらに、図１０（Ｄ）は、ＨＤＴＶ用ＴＶ−ＣＭ放送を従来型ＮＴＳＣ受像機で見たときのＴＶーＣＭ映像であり、図示のように、上下に黒画面部分が表示される。
【０００７】
このように従来はＮＴＳＣ方式の放送をＨＤＴＶ方式にアップコンバータで変換する場合、テレビ、受像機の全画面が有効に活用されない場合がある。また、視聴者は、例えばＣＭの際に、黒画面部分が表示されるように切替わることで、違和感を生じる場合がある。
【０００８】
本発明は、以上の点に鑑み、従来のＣＭ等の全画面を使用しない映像に、使用されていない部分に他の映像信号を挿入する事で、ＨＤＴＶ画面を有効活用し、映像の違和感を解消することを目的とする。
【０００９】
【課題を解決するための手段】
本発明の第１の解決手段によると、
水平同期信号と、水平走査期間内の一部期間に埋め込まれた第１映像信号とを含む第１信号が入力され、第１信号の水平同期信号を抽出する同期分離回路と、水平同期信号と、水平走査期間内の他の一部期間に埋め込まれた第２映像信号を含む第２信号が入力され、同期分離回路により抽出された第１信号の水平同期信号と第２信号とを同期させて第２映像信号を出力するための時間制御回路と、第１信号及び前記時間制御回路からの第２映像信号を含む信号が供給され、一部期間に第１映像信号を含む第１信号に対応する水平走査期間内において、その他の一部期間に第２映像信号を挿入して、合成映像信号を作成する合成映像信号作成回路と
を備えた映像処理装置を提供する。
【００１０】
本発明の第２の解決手段によると、
水平同期信号と、水平走査期間内の一部期間に埋め込まれた第１映像信号とを含む第１信号が入力され、第１信号の水平同期信号を抽出する手順と、
水平同期信号と、水平走査期間内の他の一部期間に埋め込まれた第２映像信号を含む第２信号が入力され、同期分離回路により抽出された第１信号の水平同期信号と第２信号とを同期させて第２映像信号を出力する手順と、
第１信号及び前記時間制御回路からの第２映像信号を含む信号が供給され、一部期間に第１映像信号を含む第１信号に対応し、水平走査期間内において、その他の一部期間に第２映像信号を挿入して、合成映像信号を作成する手順と
を含む映像処理方法、及び、これら手順をコンピュータに実行させるための映像処理プログラムを提供する。
【００１１】
【発明の実施の形態】
図１に、本発明の映像処理装置の構成図を示す。
この映像処理装置は、同期分離回路２１、合成映像信号作成回路２２、映像時間制御回路２３を備える。この図では、画面左側にＣＭ放送映像が、右側に付加映像が表示される場合を一例として示す。
【００１２】
同期分離回路２１は、水平同期信号と、水平走査期間の一部期間に埋め込まれた第１映像信号とを含む第１信号が入力され、第１信号中の水平同期信号を抽出する。映像時間制御回路２３には、水平同期信号と、水平走査期間中の第１映像信号が存在しない他の一部期間に埋め込まれた第２映像信号を含む第２信号が入力される。第２信号は、画面の空きの映像部分を埋めるための映像信号である。映像時間制御回路２３は、また、同期分離回路２１により抽出された第１信号の水平同期信号と第２信号の水平同期信号とを同期させるように時間軸を制御する。なお、第１映像信号が存在しない期間以外に第２映像信号を重ね合わせたり、第１映像信号のレベル、色等に応じてレベルの小さい位置、色の薄い位置等に第２映像信号を挿入するようにしてもよい。
【００１３】
合成映像信号作成回路２２は、第１映像信号を含む第１信号に対応する水平走査期間内に第２映像信号を挿入して、合成映像信号を作成する。合成映像信号作成回路２２は、例えばアナログスイッチ回路を備えた構成とすることができる。この場合、映像時間制御回路２３からは、アナログスイッチ制御信号及び第２映像信号が出力され、合成映像信号作成回路２２に供給される。合成映像信号作成回路２２には、また、第１映像信号が水平同期信号とともに供給される。合成映像信号作成回路２２は、例えば、アナログスイッチ制御信号により、供給された第１映像信号と同期信号を含む第１信号又は第２映像信号のいずれかを切り替えて出力する。出力された信号が合成映像信号である。
【００１４】
図２に、本発明の映像処理装置の前段装置の第１の実施の形態の構成図を示す。
この前段形態では、アップコンバータ３０、設定部１０、第１位置調整部１１、第２位置調整部１２を備える。アップコンバータ３０は、走査線及び映像信号の周波数等を変換する装置である。
【００１５】
図３に、アップコンバータの説明図を示す。アップコンバータ３０は、この例では、ＮＴＳＣ方式（４８０×ｉ）のＴＶ−ＣＭ信号をＨＤＴＶ放送用に変換して、ＨＤＴＶ放送用ＴＶ−ＣＭを作成する。
ここでは、一例として、アップコンバータ３０により、アスペクト比１６：９の画面の左側にＴＶ―ＣＭ映像信号が書き込まれる。但し、アップコンバータ３０の設定により、画面の余白部分の使い方によっては、中央又は右に移動することが可能である。なお、アップコンバータ３０の走査線変換はＮＴＳＣ信号のフレーム処理変換が行われるので、ＮＴＳＣ特定走査線映像信号部分のＨＤＴＶ用走査線の信号が同一になる事はない。
【００１６】
設定部１０は、放送された番組映像の位置と、全白に挿入される付加情報の映像の位置を設定する。付加情報は、例えば他のコマーシャル、コマーシャルの会社や製品の説明、天気、株式、ニュース等の適宜の情報とすることができる。また、このように挿入する付加情報は、静止画又は動画でも可能である。
【００１７】
図４に、映像位置の設定についての説明図を示す。
図示のように、設定値により、設定値“１“では、ＴＶ−ＣＭ映像（図中、Ａ映像信号）をテレビ画面の左側、付加情報（図中、Ｂ映像信号）を右側とし、設定値“２“では、ＴＶ−ＣＭ映像をテレビ画面の右側、付加情報を左側とし、また、設定値“３“では、ＴＶ−ＣＭ映像をテレビ画面の中央、付加情報を左側及び右側（図中、Ｂ１及びＢ２映像信号）とすることができる。さらに、番組映像をテレビ画面の中央、付加情報を右側又は左側の一方とすることもできる。この場合、例えば、一方の側の付加情報には、情報を伝送したいようにすればよい。
【００１８】
第１位置調整部１１には、第１の走査線又は信号方式の映像信号を第２の走査線又は信号方式の映像信号に変換された第１映像が入力される。第１位置調整部１１には、例えば、ＮＴＳＣ用ＴＶ−ＣＭ信号をＨＤＴＶ用信号にアップコンバートされた映像信号が供給される。そして、第１位置調整部１１は、設定部１０による設定に従い、水平走査期間中の第１映像信号の存在する位置を調整する。
【００１９】
第２位置調整部１２には、第２の走査線又は信号方式の第２映像が入力される。第２位置調整部１２は、設定部１０による設定値に従い、水平走査期間中の第２映像信号を埋め込む位置を調整する。なお、第２位置調整部１２は、その前段に第２映像信号用のアップコンバータを設けるようにして、第１の走査線又は信号方式の映像信号を第２の走査線又は信号方式の映像信号に変換された第２映像が入力されるようにしてもよい。
【００２０】
図５に、本発明の映像処理装置の前段装置の第２の実施の形態の構成図を示す。この前段装置は、アップコンバータ３０、第２位置調整部１３を備える。この例では、アップコンバータ３０により予め設定された水平走査期期間内の所定位置に第１映像信号の位置が設定される。この場合、その所定位置情報を第２位置調整部１３に入力することで、上述のように第２映像の水平走査期間中の位置を調整することができる。
【００２１】
以下、図１及び図２を参照して本発明の動作を、ＴＶ−ＣＭ映像の右側に付加情報を表示する場合を例に説明する。
図６に、本発明による映像処理の説明図を示す。図中、上図は特定走査線の波形、下図は受像機での画面をそれぞれ示す。
まず、設定部１０により、映像の右側に付加情報を表示するために設定値を“１”と予め設定される。ＮＴＳＣ方式のＴＶ−ＣＭ映像（図６（Ａ））は、アップコンバータ３０により変換される。第１位置調整部１１により、ＴＶ−ＣＭ映像（第１映像信号）は水平走査期間の始めの一部に挿入され、第１信号が出力される（図６（Ｂ））。一方、第２位置調整部１２により、付加映像（第２映像信号）は水平走査期間の後ろの方の他の一部に挿入され、第２信号が出力される。
【００２２】
なお、図５のようにＴＶ−ＣＭ映像のアップコンバータ３０により、映像の埋め込み位置に関する所定情報が得られる場合、ＴＶ−ＣＭ信号（第１信号）は、アップコンバータ３０の出力により直接得ることができる。また、第２位置調整部１３により、付加映像（第２映像信号）は水平走査期間の終わりの方の他の一部に挿入され、第２信号が出力される。
【００２３】
つぎに、ＴＶ−ＣＭ信号は同期分離回路２１に入力され、水平同期信号が抽出される。同期分離回路２１で分離された水平同期信号は、映像信号の時間合わせ（フレームメモリーで処理）用に時間制御回路２３に供給される。一方、第２信号は、映像時間制御回路２３に入力される。映像時間制御回路２３は、付加映像とＴＶ−ＣＭ映像とを水平同期信号により同期をとり、付加映像信号の時間軸の位置を制御する。この際、映像時間制御回路２３は例えば、入力された水平同期信号の輝度信号及びカラー信号の部分のみをアナログスイッチ制御信号として抽出する。映像時間制御回路２３は、付加映像信号とアナログスイッチ制御信号を合成映像信号作成回路２２に出力する。合成映像信号作成回路２２は、ＴＶ−ＣＭ映像信号と付加映像信号とをアナログスイッチ制御信号により切り替え、合成映像信号を作成する（図６（Ｃ））。
【００２４】
なお、ＴＶ−ＣＭ映像を中央として、付加情報を挿入する場合は、第２位置調整部１２、１３により水平走査期間の前方と後方の両方又はいずれかに付加情報を込み込めばよい。その際、合成映像信号作成回路２２は、これら両方又はいずれかのタイミングで、スイッチング制御等を行い、合成映像信号を作成すればよい。
【００２５】
上述の説明では、ＴＶ−ＣＭ映像に、付加情報を挿入する場合を例に説明したが、第１映像信号は適宜の映像を用いることができる。また、第２映像信号も、他のコマーシャル等適宜の映像を用いることができる。さらに、放送方式もＮＴＳＣからＨＤＴＶ方式への変換に限らず、適宜の方式に適用可能である。なお、又信号の挿入方法はアップコンバーターで挿入しても、放送局の放送設備を利用してリアルタイムで有効画面利用する事も可能である。
【００２６】
本発明の映像処理方法は、映像処理プログラムを記録したコンピュータ読み取り可能な記録媒体、映像処理プログラムを含みコンピュータの内部メモリにロード可能なプログラム、そのプログラムを含むサーバ等のコンピュータ、映像処理装置、映像処理プログラムを含みコンピュータが使用可能な記録媒体にストアされたプログラム、等により提供されることができる。
【００２７】
【発明の効果】
本発明によると、以上のように、従来のＣＭ等の全画面を使用しない映像に、使用されていない部分に他の映像信号を挿入する事で、ＨＤＴＶ画面を有効活用し、映像の違和感を解消することができる。
【図面の簡単な説明】
【図１】本発明の映像処理装置の構成図である。
【図２】本発明の映像処理装置の前段装置の第１の実施の形態の構成図である。
【図３】アップコンバータの説明図である。
【図４】映像位置の設定についての説明図である。
【図５】本発明の映像処理装置の前段装置の第２の実施の形態の構成図である。
【図６】本発明による映像処理の説明図である。
【図７】（Ａ）、（Ｂ）は、それぞれ現在テレビジョン放送（ＮＴＳＣ方式）での垂直同期信号波形と水平同期信号及び映像信号波形である。
【図８】（Ａ）、（Ｂ）は、それぞれデジタルＨＤＴＶ放送（１０８０ｉ方式）での垂直同期信号波形と水平同期信号及び映像信号波形である。
【図９】アップコンバータによる編集についての説明図である。
【図１０】各信号方式とテレビ画面の関係についての説明図である。
【符号の説明】
１０          設定部
１１          第１位置調整部
１２          第２位置調整部
１３          第２位置調整部
２１          同期分離回路
２２          合成映像信号作成回路
２３          映像時間制御回路
３０          アップコンバータ
【図１】
0003546021.tif 000002
【図２】
0003546021.tif 000003
【図３】
0003546021.tif 000004
【図４】
0003546021.tif 000005
【図５】
0003546021.tif 000006
【図６】
0003546021.tif 000007
【図７】
0003546021.tif 000008
【図８】
0003546021.tif 000009
【図９】
0003546021.tif 000010
【図１０】
0003546021.tif 000011